(57)【要約】【課題】  印刷による透かしパターンを観測者が知覚するために照射すべき光の強さを観測者自身が容易に知る。【解決手段】  用紙２０に光を照射して同時に観測を行うための第１のパターンＰ１と第２のパターンＰ２を印刷する。用紙２０に光を照射させて観測したとき、照射する光が弱いときは第１のパターンＰ１が高い濃度で見え、照射する光が強いときは第２のパターンＰ２が高い濃度で見え、照射する光が適当な強さのときには第１のパターンと第２のパターンがほぼ同じ濃度で見えるように、それぞれのパターンを印刷する。観測者２１は用紙２０を光に透かして第１のパターンＰ１と第２のパターンＰ２が同じ濃度で観測できることを目安に照射する光２２と２３の強さを調節することができるため、透かしを明瞭に知覚するのに適当な光の強さを容易に知ることができる。【選択図】        図５
2005236735.tif 000002
【特許請求の範囲】
【請求項１】
用紙に光を照射して用紙を介して組合わせて同時に観測する第１パターンと第２パターンとの画像を印刷する印刷装置であって、
前記第１パターンを第１濃度で用紙に印刷する第１印刷手段と、
前記第２パターンを第２濃度で用紙に印刷する第２印刷手段とを備え、
前記第１濃度および前記第２濃度のそれぞれは、前記観測のとき、用紙に照射される光の所定の強さと、用紙の光の所定の透過率および反射率との下で、前記第１および第２パターンを同じ濃度で観測するためのレベルであることを特徴とする、印刷装置。
【請求項２】
用紙の前記所定の透過率をＸおよび前記所定の反射率をｒ０、前記第１パターンの光の透過率をρ１および反射率をｒ１、前記第２パターンの光の透過率をρ２、前記観測のとき前記用紙の観測側の面に照射される光の強さをＩ１および前記観測側の面の裏側の面に照射される光の強さをＩ２とするとき、
前記第１濃度は、Ｉ１／Ｉ２＝（Ｘ（ρ１−ρ２））／（ｒ０−ｒ１）の式を満たす透過率ρ１と反射率ｒ１を呈し、かつ前記第２濃度は該式を満たす透過率ρ２を呈することを特徴とする、請求項１に記載の印刷装置。
【請求項３】
前記第１印刷手段は前記第１パターンを用紙の観測側の面に印刷し、前記第２印刷手段は前記第２パターンを同一用紙の前記観測側面の裏面において印刷することを特徴とする、請求項１または２に記載の印刷装置。
【請求項４】
前記第１印刷手段は前記第１パターンを用紙の観測側の面に印刷し、前記第２印刷手段は、前記第２パターンを異なる用紙の前記観測側の面に印刷することを特徴とする、請求項２に記載の印刷装置。
【請求項５】
前記透過率Ｘは、１枚の用紙の光の透過率を２乗した値であることを特徴とする、請求項４に記載の印刷装置。
【請求項６】
前記第１パターンと前記第２パターンの画像のそれぞれは、用紙を介して相対するように重ねたときに観測される所定パターン画像を補完しあう前記所定パターン画像の部分画像であることを特徴とする、請求項１に記載の印刷装置。
【請求項７】
前記第１パターンと前記第２パターンの画像のそれぞれを、前記所定パターン画像を補完しあう位置に印刷することを特徴とする、請求項６に記載の印刷装置。
【請求項８】
前記第１パターンの画像は、透かし模様のための第１透かしパターンの画像と、用紙に照射される光の強さを示すための第１ガイドパターンとの画像を含み、
前記第２パターンの画像は、用紙を介して前記第１透かしパターンの画像と組合わせて同時に観測する第２透かしパターンの画像と、用紙に照射される光の強さを示すために用紙を介して前記第１ガイドパターンの画像と組合わせて同時に観測する第２ガイドパターンの画像とを含み、
前記第１印刷手段は、前記第１透かしパターンと前記第１ガイドパターンとの画像を前記第１濃度で同一用紙の同一面に印刷し、
前記第２印刷手段は、前記第２透かしパターンと前記第２ガイドパターンとの画像を前記第２濃度で同一用紙の同一面に印刷することを特徴とする、請求項１に記載の印刷装置。
【請求項９】
前記第１パターンおよび前記第２パターンの画像の少なくとも一方は、観測時の光の強さが、前記第１および第２パターンを同じ濃度で観測するためのレベルではないことを通知するための画像であることを特徴とする、請求項１に記載の印刷装置。
【請求項１０】
用紙に光を照射して用紙を介して組合わせて同時に観測する第１パターンと第２パターンとの画像を印刷する印刷方法であって、
前記第１パターンを第１濃度で用紙に印刷する第１印刷ステップと、
前記第２パターンを第２濃度で用紙に印刷する第２印刷ステップとを備え、
前記第１濃度および前記第２濃度のそれぞれは、前記観測のとき、用紙に照射される光の所定の強さと、用紙の光の所定の透過率および反射率との下で、前記第１および第２パターンを同じ濃度で観測するためのレベルであることを特徴とする、印刷方法。
【請求項１１】
請求項１０に記載の印刷方法をコンピュータに実行させるための印刷プログラム。
【請求項１２】
請求項１０に記載の印刷方法をコンピュータに実行させるための印刷プログラムを記録した機械読取り可能な記録媒体。
【発明の詳細な説明】
【技術分野】
【０００１】
本発明は、印刷装置、印刷方法、印刷プログラムおよび印刷プログラムを記録した機械読取り可能な記録媒体に関し、特に、光を透過させることで観測することができる透かし模様を印刷する印刷装置、印刷方法、印刷プログラムおよび印刷プログラムを記録した機械読取り可能な記録媒体に関する。
【背景技術】
【０００２】
近年の複写機技術の発達により、手軽に文書の複製、偽造が可能になっており、大きな社会問題となっている。このため、本物と複製物が簡単に見分けられ、偽造も困難にする技術の一つとして画像埋め込み技術がある。たとえば、従来から紙幣には偽造防止のため「透かし」として肖像や建物などの絵が埋め込まれているが、漉き入れ紙と呼ばれる特殊な紙を必要とするため、この技術は一般的な用紙、複写機、プリンタに適用することはできなかった。
【０００３】
特許文献１では、ショースルーパターンの生成方法及び印刷装置において、第１のハーフトーンパターンと第２のハーフトーンパターンをショースルー光源からの照明によって視認可能なマーキングを形成するように配置することで一般的な用紙とプリンタで透かしを実現する技術が開示されている。
【０００４】
１枚の画像からだけでは何が埋め込まれているか視認できず、２枚の画像を重ね合わせることではじめて画像を出現させる技術として、たとえば特許文献２に記載の複写装置は、画像著作者の署名などの著作権に関連する情報を画像へ埋め込む機能を有する。この特許文献２によれば、輝度レベルに応じて２つのパターンセルを用意し、黒画素を埋め込む場所は互いに異なるパターンセルを選択し、白画素を埋め込む場所には同じパターンセルを選択するように２枚の画像を作成して、その２枚の画像を重ね合わせると埋め込んだ画像が視認できる。
【特許文献１】特開２００２-１４２１０５号公報
【特許文献２】特開平９-２５２３９７号公報
【発明の開示】
【発明が解決しようとする課題】
【０００５】
特許文献１と２の技術では、印刷する用紙が透明ではない場合、非常に強い光を透過させないと組み合わされる画像それぞれの濃度の見え方が異なってしまうため、埋め込まれた画像を明確に認識することができないといった課題を有している。したがって、透かし模様を観測するユーザ側では、初心者であっても、明瞭に透かしを知覚するためには、どの程度の光を照射させればよいかを予め知りたいという要望があった。
【０００６】
それゆえに、この発明の目的は、印刷による透かしパターンを観測者が知覚するために照射すべき光の強さを観測者自身が容易に知ることのできる印刷装置、印刷方法、印刷プログラムおよび印刷プログラムを記録した機械読取り可能な記録媒体を提供することである。
【課題を解決するための手段】
【０００７】
この発明のある局面に従う、用紙に光を照射して用紙を介して組合わせて同時に観測する第１パターンと第２パターンとの画像を印刷する印刷装置は、第１パターンを第１濃度で用紙に印刷する第１印刷手段と、第２パターンを第２濃度で用紙に印刷する第２印刷手段とを備える。そして、第１濃度および第２濃度のそれぞれは、観測のとき、用紙に照射される光の所定の強さと、用紙の光の所定の透過率および反射率との下で、第１および第２パターンを同じ濃度で観測するためのレベルであることを特徴とする。
【０００８】
したがって、第１および第２印刷手段により第１パターンと第２パターンの画像が用紙に印刷されるとき、第１パターンの第１濃度および第２パターンの第２濃度のそれぞれは、観測のとき、用紙に照射される光の所定の強さと、用紙の光の所定の透過率および反射率との下で、第１および第２パターンを同じ濃度で観測するためのレベルを有する。
【０００９】
それゆえに、観測者は第１パターンと第２パターンが同じ濃度に見えることを目安に用紙に照射する光の強さを、すなわち透過および反射する光の強さを、用紙を光に透かして傾ける角度（照射角度）を変化させるなどして調節することができる。そのため、用紙を光に透かしながら観測する第１パターンと第２パターンとの画像の組合せからなる透かし画像を明瞭に知覚するのに適当な光の強さを容易に知ることができる。
【００１０】
好ましくは、用紙の所定の透過率をＸおよび所定の反射率をｒ０、第１パターンの光の透過率をρ１および反射率をｒ１、第２パターンの光の透過率をρ２、観測のとき用紙の観測側の面に照射される光の強さをＩ１および前記観測側の面の裏側の面に照射される光の強さをＩ２とするとき、第１濃度は、Ｉ１／Ｉ２＝（Ｘ（ρ１−ρ２））／（ｒ０−ｒ１）の式を満たす透過率ρ１と反射率ｒ１を呈し、かつ第２濃度は該式を満たす透過率ρ２を呈する。
【００１１】
したがって、印刷時には第１パターンは、上述の式を満たすような透過率ρ１と反射率ｒ１を呈する第１の濃度でを印刷し、第２パターンも、上述の式を満たすような透過率ρ２を呈する第２の濃度でを印刷すれば、組合わせて同時に観測する第１パターンと第２パターンとの画像からなる透かし画像を明瞭に知覚するのに適当な光の強さを容易に知ることができる。
【００１２】
好ましくは、第１印刷手段は第１パターンを用紙の観測側の面に印刷し、第２印刷手段は第２パターンを同一用紙の観測側面の裏面において印刷する。
【００１３】
したがって、１枚の用紙の観測面側に第１パターンを、その裏面に第２パターンを印刷するという両面印刷の場合であっても、組合わせて同時に観測する第１パターンと第２パターンとの画像からなる透かし画像を明瞭に知覚するのに適当な光の強さを容易に知ることができる。
【００１４】
好ましくは、第１印刷手段は第１パターンを用紙の観測側の面に印刷し、第２印刷手段は、第２パターンを異なる用紙の観測側の面に印刷する。
【００１５】
したがって、第１パターンと第２パターンを別々の用紙に印刷して、別々の用紙に印刷した第１パターンと第２パターンとを組合わせて同時に観測する場合であっても、用紙を光に透かして出現する透かし画像を観測するのに適当な光の強さを容易に知ることができる。
【００１６】
好ましくは、上述の透過率Ｘは、１枚の用紙の光の透過率を２乗した値である。したがって、第１パターンと第２パターンを別々の用紙に印刷する場合には、観測時には別々の用紙を重ね合わせて観測するから、上述の透過率Ｘは１枚の用紙の透過率の２乗の値とすればよい。
【００１７】
好ましくは、第１パターンと第２のパターンの画像のそれぞれは、用紙を介して相対するように重ねたときに観測される所定パターン画像を補完しあう所定パターン画像の部分画像である。
【００１８】
好ましくは、第１パターンと第２のパターンの画像のそれぞれを、所定パターン画像を補完しあう位置に印刷する。
【００１９】
したがって、観測時に照射する光の強さが適当であるので第１パターンと第２パターンが同じ濃度で観測できるときは、第１のパターンと第２のパターンの境界が知覚されなくなって一様な模様のパターンを観測できる、すなわち両方のパターンにより補完された所定パターン画像を観測できる。それゆえに、所定パターン画像を観測できたときには、照射される光の強さが適当であることを確認できる。
【００２０】
好ましくは、第１パターンの画像は、透かし模様のための第１透かしパターンの画像と、用紙に照射される光の強さを示すための第１ガイドパターンとの画像を含み、第２パターンの画像は、用紙を介して第１透かしパターンの画像と組合わせて同時に観測する第２透かしパターンの画像と、用紙に照射される光の強さを示すために用紙を介して前記第１ガイドパターンの画像と組合わせて同時に観測する第２ガイドパターンの画像とを含む。  
【００２１】
第１印刷手段は、第１透かしパターンと第１ガイドパターンとの画像を第１濃度で同一用紙の同一面に印刷し、第２印刷手段は、第２透かしパターンと第２ガイドパターンとの画像を第２濃度で同一用紙の同一面に印刷する。
【００２２】
したがって、観測者は第１ガイドパターンと第２ガイドパターンが同じ濃度に見えることを目安に、用紙に照射する光の強さを、すなわち透過および反射する光の強さを、用紙を光に透かして傾ける角度（照射角度）を変更して調節できる。また、第１ガイドパターンと第２ガイドパターンが同じ濃度で観測できるとき、第１透かしパターンと第２透かしパターンとの組合せからなる透かし画像を明瞭に観測するのに適当な光の強さが照射されている状態であることを知ることができる。そして、そのときに観測できる第１透かしパターンと第２透かしパターンとの組合せによる画像が適切な透かし画像であることを認識できる。
【００２３】
好ましくは、第１パターンおよび第２パターンの画像の少なくとも一方は、観測時の光の強さが、第１および第２パターンを同じ濃度で観測するためのレベルではないことを通知するための画像である。
【００２４】
したがって、たとえば、照射する光が弱いと第１パターンが主に観測され、強いと第２パターンが主として観測されるため、主に観測できるパターンの画像により、観測者は光の強さが適当レベルでないことを知覚することができる。また、照射する光が適当な強さのときは第１パターンと第２パターンが同じ濃度で観測されるため、例えば第１パターンと第２パターンを同じ位置に印刷して両者が重なりあって観測できるように印刷しておけば、第１パターンと第２パターンが混ざって見えるため、どちらのパターンも明確に知覚されないといったことも実現できる。
【００２５】
この発明の他の局面に従う、用紙に光を照射して用紙を介して組合わせて同時に観測する第１パターンと第２パターンとの画像を印刷する印刷方法は、第１パターンを第１濃度で用紙に印刷する第１印刷ステップと、第２パターンを第２濃度で用紙に印刷する第２印刷ステップとを備え、第１濃度および前記第２濃度のそれぞれは、観測のとき、用紙に照射される光の所定の強さと、用紙の光の所定の透過率および反射率との下で、第１および第２パターンを同じ濃度で観測するためのレベルである。
【００２６】
この発明のさらに他の局面に従うと、上述の印刷方法をコンピュータに実行させるための印刷プログラムが提供される。
【００２７】
この発明のさらに他の局面に従うと、上述の印刷方法をコンピュータに実行させるための印刷プログラムを記録した機械読取り可能な記録媒体が提供される。
【発明を実施するための最良の形態】
【００２８】
以下、この発明の実施の形態について図面を参照して説明する。以下の説明では、同一の部分には同一の符号を付してある。それらの名称および機能も同じである。したがって、それらについての詳細な説明は繰り返さない。
【００２９】
本実施の形態に係る印刷装置における処理は、プリンタやプリンタ機能とスキャナ機能を兼備えた複写機などで、画像処理や制御を行うＣＰＵ(Central Processing Unit)上で実行されるソフトウェアにより実現される。なお、コンピュータまたはワークステーション上で実行されるプリンタドライバソフトウェアによって実現されてもよいし、専用のハードウェアとして実現されてもよい。
【００３０】
（装置の構成）
図１は、本発明の実施の形態に係る印刷装置を実現するプリンタの外観図である。図２は図１のプリンタのブロック構成図である。図３は本実施の形態に係るコンピュータ１０１のブロック構成図である。
【００３１】
図１および図２を参照して、プリンタ１は、外部から操作されて各種指示などの情報を入力するための操作パネル１３、各種情報を表示するための液晶などからなる表示部１８、外部の通信路１７にプリンタ１を接続するためにEthernet（Ｒ）などで実現される外部Ｉ/Ｆ（Inter Face）１４、プリンタ１を集中的に制御・監視するＣＰＵ(Central Processing Unit)１０、各種のプログラムおよびデータを記憶するためのＲＯＭ(Read Only Memory)１１およびＲＡＭ(Random Access Memory)１２、画像の印刷を行う印刷エンジン１５、印刷された用紙を外部に排出するための出力部１９およびこれら各部を相互に通信接続するバス１６を備える。ＲＡＭ１２は、プログラムまたはデータの保存場所として使用されるだけでなく、プログラムを実行するために必要な作業領域としても使用される。ここでは表示部１８と操作パネル１３とは別個に設けているが一体的に設けるようにしてもよい。
【００３２】
既に述べたように、本実施の形態に係る印刷装置は、プリンタハードウェアとＣＰＵ１０により実行されるソフトウェアとにより実現される。プリンタ１上のソフトウェアはＲＯＭ１１予めに保存され、実行時にはＣＰＵ１０により読出されてＲＡＭ１２にロードされて実行される。本実施の形態に係る画像出力処理が図３のコンピュータ１０１またはワークステーション上で実行されるプリンタドライバソフトウェアによって実現される場合には、プリンタドライバソフトウェアの出力がプリンタ１によって印刷されるようにしてもよい。
【００３３】
図３を参照してコンピュータ１０１は、情報を表示するための液晶またはＣＲＴ（陰極線管）などからなる表示装置３１２、指示などの情報を入力するために操作されるキー入力部１４５０などの外部からのデータ入力部、該コンピュータ自体を集中的に制御するためのＣＰＵ１４１２、ＲＯＭまたはＲＡＭを含んで構成されるメモリ１４２４、固定ディスク１４２６、ＦＤ（Flexible Disk）１４３２が着脱自在に装着されて、装着されたＦＤ１４３２をアクセスするＦＤ駆動装置１４３０、ＣＤ−ＲＯＭ（Compact  Disc  Read  Only  Memory）１４４２が着脱自在に装着されて、装着されたＣＤ−ＲＯＭ１４４２をアクセスするＣＤ−ＲＯＭ駆動装置１４４０、通信Ｉ／Ｆ１４８０およびプリント部１４８１を含む。
【００３４】
通信Ｉ／Ｆ１４８０は通信路１７と該コンピュータ１０１とを通信可能に接続する機能を有する。したがってコンピュータ１０１とプリンタ１とは通信路１７を介して相互にデータ通信できる。通信路１７にはインターネットを含む各種ネットワークを適用できる。コンピュータ１０１ではＣＰＵ１４１２により印刷のために画像処理されたデータはプリント部１４８１に与えられて、ここで用紙に印刷されて出力される。または、通信Ｉ／Ｆ１４８０と通信路１７を経由してプリンタ１に送信して、プリンタ１のＣＰＵ１０の制御の下、印刷し出力するようにしてもよい。
【００３５】
図３のコンピュータ１０１には、カセット形式の磁気テープが着脱自在に装着されて磁気テープをアクセスする磁気テープ装置が設けられても良い。
【００３６】
図３のコンピュータ１０１に搭載されるプリンタドライバソフトウェアはＣＤ−ＲＯＭ１４４２、ＦＤ１４３２などの記録媒体に格納されて流通し、コンピュータ１０１またはワークステーションの所定記憶エリアに、ＣＰＵ１４１２によりＣＤ−ＲＯＭ駆動装置１４４０またはＦＤ駆動装置１４３０を介して読込まれて実行される。
【００３７】
図１と図２に示したプリンタや図３のコンピュータ１０１や図示のない、ワークステーションなどハードウェア自体は一般的なものである。したがって、本発明の最も本質的な部分はＣＤ−ＲＯＭ１４４２、ＦＤ１４３２、ＲＯＭ１１、ＲＡＭ１２、メモリ１４２４、固定ディスク１４２６などの記録媒体に記録されたソフトウェア（プログラムやデータ）である。
【００３８】
なお、図１と図２に示したプリンタ１自体の印刷のための基本動作は周知であるので、ここではその詳細な説明は繰り返さず、本発明に関与する機能についてのみ説明する。
【００３９】
（処理手順について）
図４を参照して、本実施の形態に係る印刷装置で実行されるプログラムについて説明する。本実施の形態に係るプリンタ１またはコンピュータ１０１においてＣＰＵ１０またはＣＰＵ１４１２により読出されて実行されるプログラムは、印刷処理に関し、以下のような制御手順を有する。なお、表用および裏用の透かしパターンである表パターンＰ１および裏パターンＰ２ならびに表用および裏用の透かしガイドパターンである表ガイドパターンＧＰ１および裏ガイドパターンＧＰ２のデータはプリンタ１ではＲＯＭ１１（またはＲＡＭ１２であってもよい）に、コンピュータ１０１ではメモリ１４２４などに格納されていると想定する。パターンＰ１とＰ２を用紙を介して重ね合わせるなどの組合せにより１つの透かしパターンの画像が形成される。同様にパターンＧＰ１とＧＰ２を用紙を介して重ね合わせるなどの組合せにより１つの透かしガイドパターンの画像が形成される。ここではプリンタ１のＣＰＵ１０にて処理を実行する場合を想定して説明するが、コンピュータ１０１のＣＰＵ１４１２であっても同様に処理を実行できる。
【００４０】
まず、ＣＰＵ１０は、ステップ（以下、ステップをＳと略す。）１とＳ３にて、ＲＯＭ１１に記憶された表パターンＰ１と表ガイドパターンＧＰ１を読出し、Ｓ５にて印刷エンジン１５を制御し、予め準備された同一用紙の表の所定領域にそれぞれ印刷を行う。なお、用紙の表裏それぞれは光の所定反射率と透過率とを呈していると想定する。このとき、用紙に印刷された状態の両方の表パターンの画像の濃度は同じとなるように印刷する。
【００４１】
次に、ＣＰＵ１０は、Ｓ７とＳ９にて、ＲＯＭ１１に記憶された裏パターンＰ２と裏ガイドパターンＧＰ２を読出し、Ｓ１１にて印刷エンジン１５を制御し、用紙の裏の所定領域に印刷する。このとき、対応する表裏のパターン同士が用紙を介して重ね合わせなどの組合せのための所定の位置にそれぞれ印刷を行う。また、このとき、用紙に印刷された状態の両方の裏パターンの画像の濃度は同じとなるように印刷する。その後、Ｓ１３では、印刷後の用紙が出力部１９を介して外部に出力される。ここで、印刷時のパターンの画像濃度について以下に説明する。
【００４２】
図５を参照して用紙２０の表面に印刷した表パターンＰ１と裏面に印刷した裏パターンＰ２の濃度の見え方の違いを説明する。図５には、用紙２０の表裏に透かしのための表パターンＰ１と裏パターンＰ２を印刷した場合に、それぞれのパターンがどのように見えるかがモデル化して示しており、モデルでは、用紙２０の断面と透過、反射する光を模式的に示している。
【００４３】
パターンＰ１の光の反射率をｒ１、光の透過率をρ１、パターンＰ２の光の反射率をｒ２、光の透過率をρ２、用紙２０の光の反射率をｒ０、光の透過率をρ０、用紙２０の表に照射されている光２３の強さ(明るさを示す照度)をＩ１、同様に裏面に照射されている光２２の強さ(明るさを示す照度)をＩ２とすると、観測者（実際には観測者の目）２１が確認するパターンＰ１の明るさＩＰ１、パターンＰ２の明るさＩＰ２はそれぞれ式（１）と式（２）のようになる。観測者２１が印刷されたパターンＰ１とパターンＰ２の画像を同じ濃度として知覚するときは、ＩＰ１＝ＩＰ２であるため、このときは式（３）の関係が成り立っている。画像（パターン）の濃度が高いほど光の反射率および透過率は低くなる。逆に、画像（パターン）の濃度が低いほど光の反射率および透過率は高くなる。
【００４４】
ＩＰ１＝Ｉ２*ρ１*ρ０＋Ｉ１*ｒ１…式（１）
ＩＰ２＝Ｉ２*ρ２*ρ０＋Ｉ１*ｒ０…式（２）
Ｉ１／Ｉ２＝（ρ０*（ρ１−ρ２））／（ｒ０−ｒ１）…式（３）
用紙２０が白い用紙であるとき、ここに黒いパターンＰ１とＰ２を印刷する場合、ｒ０＞ｒ１になるため、式（３）の右辺の分母は正の値になる。もし、パターンＰ１とパターンＰ２を同じ濃度で印刷した場合には、ρ１＝ρ２となるため、式（３）の右辺は０になる。この場合、用紙２０の表面に光２３が照射されないような真っ暗（Ｉ１＝０）にするか、裏面の光２２の強さを非常に強く（Ｉ２→∞）しなければ、パターンＰ１とパターンＰ２を同じ濃度として知覚することができないことがわかる。これは、室内で用紙２０を蛍光灯などの光にかざして見るだけではパターンＰ１とパターンＰ２が同じ濃度では見えないことを意味しており、観測者２１は用紙２０の裏表に印刷されたパターンＰ２とＰ１の組合せで実現される透かし模様を明瞭に知覚するのが困難であることが分かる。
【００４５】
所定の光の強さ、および用紙２０の所定透過率および反射率において、パターンＰ１とパターンＰ２が同じ濃度で観測できるようにするためには、図４のＳ５の印刷において上記式（３）を満たすような濃度で印刷を行えばよい。つまり、パターンＰ１をパターンＰ２よりも適当に薄い濃度で印刷しておけば、観測者２１は用紙２０を蛍光灯などの光源にかざす程度でパターンＰ１とパターンＰ２を同じ濃度で観ることができる。このとき、観測者２１は用紙２０の裏表に印刷されたパターンＰ１とＰ２の組合せで実現される透かしパターンの模様を最も明瞭に知覚することができる。
【００４６】
一方で、予め想定した光の条件以外では上記式（３）を満たさないため、透かしパターンの画像を明瞭に知覚（観測）するのは難しいといえる。このため、慣れていない観測者２１は用紙２０に対してどの程度の強さの光を照射させればよいかがわからず、透かしパターンの模様を知覚するのが困難となる。
【００４７】
そこで、本実施の形態ではパターンＰ１とＰ２の組合せによる透かしパターンを明瞭に知覚するための適当な光の条件となる光の強さＩ１とＩ２を観測者２１に対して通知するために、図４のＳ５において、Ｓ３で読出したガイドパターンＧＰ１とＧＰ２を、透かしパターンＰ１とＰ２と同様に用紙２０の表と裏に両パターンが重なり合うなどの組合せで所定のガイドパターンを形成するように所定の位置に印刷する。
【００４８】
図６には別々の用紙に印刷して重ね合わせた場合のモデルが示される。図６では用紙２０に相当の用紙２０Ａの表にパターンＰ１を、用紙２０に相当の用紙２０Ｂの表にパターンＰ２をそれぞれ印刷して、用紙２０Ａの裏面と用紙２０Ｂの表面とを重ね合わせた状態が示される。用紙２０Ｂの裏面からあたる光２２の強さ(明るさ)Ｉ２が用紙２０Ｂを１枚透過することでＩ２*ρ０に減衰すると考えれば図５のモデルと全く同様に考えることができ、式(３）から式（４）の関係を導くことが出来る。
【００４９】
Ｉ１／Ｉ２＝（ρ０２*（ρ１−ρ２））／（ｒ０−ｒ１）…式（４）
つまり、式（４）は透過率ρ０２の用紙２０の表裏にパターンＰ１とＰ２を印刷した場合と等価であることを示すから、別々の用紙２０に印刷して図６のように重ね合わせた場合も図５のように用紙２０の表裏に印刷した場合と同様に考えることができる。
【００５０】
なお、図５と図６では説明のためにパターンＰ１とＰ２は、重ねられずにずれた位置で組合わせられているが、組合せはこれに限定されない。たとえば、用紙２０を介して表パターンＰ１と裏パターンＰ２とを相対する位置で重ね合わせることで１つの模様である透かしパターンを形成するようにしてもよい。この場合には、表パターンＰ１と裏パターンＰ２は、相対するように重ねたときに観測される所定パターン画像を補完しあう該所定パターン画像の部分画像に対応する。
【００５１】
図７（Ａ）〜（Ｃ）を用いて透かしガイドパターンとして印刷されるパターンの一例を説明する。図４のＳ７とＳ９で読出したガイドパターンＧＰ１とＧＰ２は、パターンＰ１とＰ２が印刷されるのと同一用紙において、Ｓ１１で透かしパターンの印刷領域（位置）とは異なる領域（位置）に印刷される。用紙の表面には図７（Ａ）のガイドパターンＧＰ１を、裏面には図７（Ｂ）のガイドパターンＧＰ２を印刷する。ガイドパターンＧＰ１はガイドパターンＧＰ２よりも薄めに印刷する。好ましくは透かし模様を実現するために印刷されたパターンＰ１とＰ２のそれぞれと同じ濃度とする。濃淡は擬似濃淡でもよいし、黒以外の色であってもよい。なお、擬似濃淡とは、２値画像で濃淡を擬似的に表現したもので、表現方法として誤差拡散法やディザ法などが公知の技術として知られている。擬似濃淡でガイドパターンを印刷したとき、厳密には黒画素と白画素で異なる反射率、透過率を呈しているが、濃淡画像と同様に一様な反射率、透過率を呈していると考えても不都合はない。
【００５２】
また、ガイドパターンＧＰ１とＧＰ２は図６のように別々の用紙に印刷されてもよい。ガイドパターンＧＰ２を裏面に印刷する場合、表面から観測すると裏表が反転して見えるため、表面から見たときに図７（Ｂ）のように見えるよう、あらかじめ裏表を反転させたパターンにしておくことは言うまでもない。図示したガイドパターンＧＰ１とＧＰ２の形状は一例であり、どのような形状であってもよい。図７（Ｃ）には、用紙に印刷されたガイドパターンＧＰ１とＧＰ２を透かして観測することができるパターンの例Ｃ１、Ｃ２およびＣ３が示される。観測者は例Ｃ２が確認できたときが、透かしパターンを確認するための観測時の最適の明るさＩＰ１とＩＰ２であることを予め認識していると想定する。以降の図８（Ｃ）、図９（Ｃ）および図１０（Ｃ）でも同様に予め認識していると想定する。
【００５３】
用紙に裏から照射する光が弱い場合は例Ｃ１のように見え、照射する光が強い場合は例Ｃ３のように見え、照射する光が適当な場合は例Ｃ２のように見える。観測者は 例Ｃ１のように濃い濃度で観測できるパターンがガイドパターンＧＰ１であれば照射している光が弱いことが分かり、例Ｃ３のように濃い濃度で見えるパターンがガイドパターンＧＰ２の場合には照射している光が強いことが分かるので、用紙に照射する光を調節して例Ｃ２のようにガイドパターンＧＰ１とＧＰ２が同じ濃度で観測できる条件を容易に知ることができる。照射する光の調節は、観測者がパターンが印刷された用紙の光の照射角度や光源との距離などを変えるだけで行うことが可能である。そのため、光源の光の強さを操作しなくても用紙に照射する光を容易に調節することができる。
【００５４】
図８（Ａ）〜（Ｃ）を用いて透かしガイドパターンとして印刷されるパターンＧＰ１とＧＰ２の別の例を説明する。図８（Ａ）と（Ｂ）のガイドパターンＧＰ１とＧＰ２は、重ね合わせられることで、お互いに円を補完する形状になっている。ガイドパターンＧＰ１とＧＰ２を同一用紙の表と裏に印刷する場合、それぞれは、所定パターンである円の画像を補完しあう位置に印刷されて、円の部分画像となる。
【００５５】
図示したガイドパターンＧＰ１とＧＰ２の形状は一例であり、波型、ノコギリ型、縞模様などでであってもよい。観測者は図８（Ｃ）のパターンの例Ｃ１のように濃い濃度で見えるパターンが図８（Ａ）のガイドパターンＧＰ１であれば照射する光が弱いことが分かり、例Ｃ３のように濃い濃度で見えるパターンが図８（Ｂ）のガイドパターンＧＰ２の場合には照射している光が強いことが分かる。そこで、観測者は、照射する光を調節して例Ｃ２のように図８（Ａ）と（Ｂ）のガイドパターンＧＰ１とＧＰ２が同じ濃度で見える条件を容易に知ることができる。
【００５６】
また、図８（Ｃ）の例Ｃ１とＣ３では濃度に段差が見えたパターンが、例Ｃ２では一様な濃度のパターンに見えるため、照射する光の最も適当な強さを容易に知ることができる。
【００５７】
図９（Ａ）〜（Ｃ）を用いて透かしガイドとして印刷されるパターンのさらに別の例を説明する。図９（Ａ）と（Ｂ）のガイドパターンＧＰ１とＧＰ２は「バツ印」であり、かつ、パターンＧＰ１とＧＰ２は重ね合わせられたときにお互いが四角形を補完しあう四角形の部分画像となっている。なお、「バツ印」の画像パターンはガイドパターンの一例であり、他の形状であっても構わない。
【００５８】
照射する光が適当でない場合、図９（Ｃ）のパターンの例Ｃ１とＣ３のように図９（Ａ）と（Ｂ）のガイドパターンＧＰ１とＧＰ２のどちらかのパターンが濃く見えるため、そのパターンの形状が示す意味から観測者は透過する光が適当でないことを容易に知ることができる。照射する光の強さが適当な場合、図９（Ｃ）の例Ｃ２のように一様な四角形に見え、例では「バツ印」が消えることから照射する光の強さが適当であることも容易に知ることができる。
【００５９】
図１０（Ａ）〜（Ｃ）を用いて透かしガイドとして印刷されるパターンのさらに別の例を説明する。図１０（Ａ）のガイドパターンＧＰ１は、光の強さが弱いことを示す文字のパターンとし、図１０（Ｂ）のガイドパターンＧＰ２は光の強さが強いことを示す文字のパターンとする。照射する光が弱い場合、図１０（Ｃ）のパターンの例Ｃ１のように“DARK”という文字パターンが現れ、照射する光が強い場合は例Ｃ３のように“BRIGHT”という文字パターンが現れるため、観測者は照射する光が強いのか弱いのかを現れる（観測できる）パターンが示す文字の意味から知ることができる。
【００６０】
また、透過する光の強さが適当な場合、図１０（Ｃ）の例Ｃ２のパターンが現れる。例Ｃ２のパターンはそれぞれのパターンＧＰ１とＧＰ２が同程度の濃さで重なりあって文字の輪郭が消滅するので意味不明な模様（パターン）となる。そのため、観測者は照射している光の強さが適当であることも容易に知ることができる。
【００６１】
（他の実施の形態）
図４の処理機能はＣＰＵにより実行されるプログラムとして準備される。
【００６２】
図４の処理機能のプログラムはプリンタ１ではＲＯＭ１１などに予め格納されて、ＣＰＵ１０により読出されて実行される。
【００６３】
図４の処理機能が図３のコンピュータ１０１にて実行されるプログラムとして準備される場合には、該プログラムはＣＰＵ１４１２で読取り可能な記録媒体に予め格納されてＣＰＵ１４１２により読出されて実行される。
【００６４】
図３では、このプログラムを記録する媒体としては、コンピュータ１０１で処理が行なわれるために必要なメモリ、たとえばメモリ１４２４のようなそのものがプログラムメディアであってもよいし、また外部記憶装置として図示のない磁気テープ装置およびＣＤ−ＲＯＭ駆動装置１４４０などのプログラム読取り装置に記憶媒体である磁気テープまたはＣＤ−ＲＯＭ１４４２が挿入されることで読取り可能なプログラムメディアであってもよい。いずれの場合においても、格納されているプログラムはＣＰＵ１４１２がアクセスして実行させる構成であってもよいし、あるいはいずれの場合もプログラムが一旦読出されて、読出されたプログラムは、図３の所定のプログラム記憶エリア、たとえばメモリ１４２４のプログラム記憶エリアにロードされて、ＣＰＵ１４１２により読出されて実行される方式であってもよい。このロード用のプログラムは、予め当該コンピュータ１０１に格納されているものとする。
【００６５】
ここで、上述したプログラムメディアはコンピュータ１０１本体と分離可能に構成される記録媒体であり、磁気テープやカセットテープなどのテープ系、フレキシブルディスク１４３２や固定ディスク１４２６などの磁気ディスクやＣＤ−ＲＯＭ１４２４／ＭＯ（Magnetic  Optical  Disc）／ＭＤ（Mini  Disc）／ＤＶＤ（Digital  Versatile  Disc）などの光ディスクのディスク系、ＩＣカード（メモリカードを含む）／光カードなどのカード系、あるいはマスクＲＯＭ、ＥＰＲＯＭ（Erasable  and  Programmable  ＲＯＭ）、ＥＥＰＲＯＭ(Electrically  ＥＰＲＯＭ)、フラッシュＲＯＭなどによる半導体メモリを含めた固定的にプログラムを担持する媒体であってもよい。
【００６６】
また、本実施の形態においては、コンピュータはインターネットを含む通信路１７などと通信Ｉ／Ｆ１４８０を介して接続可能な構成が採用されているから、通信路１７からプログラムがダウンロードされることで流動的にプログラムを担持する媒体であってもよい。なお、このように通信路１７からプログラムがダウンロードされる場合には、ダウンロード用プログラムは予め当該コンピュータ１０１本体に格納しておくか、あるいは別の記録媒体から予め当該コンピュータ１０１本体にインストールされるものであってもよい。
【００６７】
なお記録媒体に格納されている内容としてはプログラムに限定されず、データであってもよい。
【００６８】
今回開示された実施の形態はすべての点で例示であって制限的なものではないと考えられるべきである。本発明の範囲は上記した説明ではなくて、特許請求の範囲によって示され、特許請求の範囲と均等の意味および範囲内でのすべての変更が含まれることが意図される。
【図面の簡単な説明】
【００６９】
【図１】本発明の実施の形態に係る印刷装置を実現するプリンタの外観図である。
【図２】図１に示すプリンタのブロック構成図である。
【図３】本実施の形態に係るコンピュータのブロック構成図である。
【図４】本発明の実施の形態に係る印刷装置で実行されるプログラムの制御手順を示すフローチャートである。
【図５】用紙の両面にパターン印刷して光を透過させたとき、それぞれのパターンの見え方の違いを説明する図である。
【図６】別々の用紙にパターンを印刷し、用紙を重ね合わせて光を透過させた状態でパターンの見え方の違いを説明する図である。
【図７】（Ａ）〜（Ｃ）は、本発明の実施の形態に係る印刷装置で印刷されるパターンの一例を説明する図である。
【図８】（Ａ）〜（Ｃ）は、本発明の実施の形態に係る印刷装置で印刷されるパターンの別の例を説明する図である。
【図９】（Ａ）〜（Ｃ）は、本発明の実施の形態に係る印刷装置で印刷されるパターンのさらに別の例を説明する図である。
【図１０】（Ａ）〜（Ｃ）は、本発明の実施の形態に係る印刷装置で印刷されるパターンのさらに別の例を説明する図である。
【符号の説明】
【００７０】
１  プリンタ、１０１  コンピュータ、２０,２０Ａ,２０Ｂ  用紙、Ｐ１,Ｐ２  透かしパターン、ＧＰ１,ＧＰ２  透かしガイドパターン、２１  観測者、２２,２３  光、Ｉ１,Ｉ２  光の強さ、ＩＰ１,ＩＰ２  パターンの明るさ、ｒ０,ｒ１,ｒ２  反射率、ρ０,ρ１,ρ２  透過率。
【図１】
2005236735.tif 000003
【図２】
2005236735.tif 000004
【図３】
2005236735.tif 000005
【図４】
2005236735.tif 000006
【図５】
2005236735.tif 000007
【図６】
2005236735.tif 000008
【図７】
2005236735.tif 000009
【図８】
2005236735.tif 000010
【図９】
2005236735.tif 000011
【図１０】
2005236735.tif 000012